(57)【要約】  第１の端末（１）と、第２の端末（２ａ〜２ｃ）と、を備え、第１の端末（１）は、規定されたイベントが発生すると、第１の端末（１）を特定可能な識別情報と、第２の端末（２ａ〜２ｃ）に対する第１の端末（１）への接続要求を示す要求情報と、第２の端末（２ａ〜２ｃ）が第１の端末（１）とのペアリングに使用する接続情報と、を含むアドバタイズパケットを送信し、第２の端末（２ａ〜２ｃ）は、アドバタイズパケットを受信すると、第１の端末（１）とのペアリングを開始し、第１の端末（１）との接続を確立する。
2019180844.tif 000002
【特許請求の範囲】
【請求項１】
第１の端末と、第２の端末と、を備え、
前記第１の端末は、規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信し、
前記第２の端末は、前記アドバタイズパケットを受信すると、前記第１の端末とのペアリングを開始し、前記第１の端末との接続を確立する、
無線通信システム。
【請求項２】
前記接続情報には、前記第１の端末の製造者が独自に定めた情報が含まれる、
請求項１に記載の無線通信システム。
【請求項３】
前記接続情報には、データ通知形式の情報が含まれる、
請求項１または２に記載の無線通信システム。
【請求項４】
前記接続情報には、前記第１の端末との接続を許可するユーザーの種別の情報が含まれる、
請求項１から３のいずれか１つに記載の無線通信システム。
【請求項５】
前記規定されたイベントは、前記第１の端末の電源投入、または前記第１の端末に対するユーザーによる規定された操作である、
請求項１から４のいずれか１つに記載の無線通信システム。
【請求項６】
前記第２の端末は、センサーを備え、前記センサーによる測定結果を前記第１の端末へ送信する、
請求項１から５のいずれか１つに記載の無線通信システム。
【請求項７】
前記第２の端末を複数備え、
前記第１の端末は、複数の前記第２の端末とペアリングを行って、無線通信を行う、
請求項１から６のいずれか１つに記載の無線通信システム。
【請求項８】
第１の端末と第２の端末とを備える無線通信システムにおける前記第１の端末である端末装置であって、
規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信する通信部と、
前記接続情報を記憶する接続管理部と、
を備える端末装置。
【請求項９】
前記接続情報には、前記端末装置の製造者が独自に定めた情報が含まれる、
請求項８に記載の端末装置。
【請求項１０】
前記接続情報には、データ通知形式の情報が含まれる、
請求項８または９に記載の端末装置。
【請求項１１】
前記接続情報には、前記端末装置との接続を許可するユーザーの種別の情報が含まれる、
請求項８から１０のいずれか１つに記載の端末装置。
【請求項１２】
前記規定されたイベントは、前記端末装置の電源投入、または前記端末装置に対するユーザーによる規定された操作である、
請求項８から１１のいずれか１つに記載の端末装置。
【請求項１３】
第１の端末と、第２の端末と、を備える無線通信システムにおける無線接続方法であって、
前記第１の端末が、規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信する第１のステップと、
前記第２の端末が、前記アドバタイズパケットを受信すると、前記第１の端末とのペアリングを開始し、前記第１の端末との接続を確立する第２のステップと、
を含む無線接続方法。
【発明の詳細な説明】
【技術分野】
【０００１】
本発明は、端末同士がペアリングを行って無線通信を行う無線通信システム、端末装置および無線接続方法に関する。
【背景技術】
【０００２】
従来、Ｂｌｕｅｔｏｏｔｈ（登録商標）による無線通信を行う端末同士は、ペアリングを行って接続を確立し、無線通信を行う。一般的に、端末同士をペアリングする場合、一方の端末が送信する接続情報などの情報を、ユーザーが他方の端末に入力する操作が必要である。特許文献１には、端末同士が、ＮＦＣ（Near  Field  Communication）タグを用いた通信によって接続情報などの情報を交換し、交換した情報を用いてペアリングを行うことにより、ペアリングの際のユーザーの操作を低減する技術が開示されている。
【先行技術文献】
【特許文献】
【０００３】
【特許文献１】特許第６０９４６０６号公報
【発明の概要】
【発明が解決しようとする課題】
【０００４】
しかしながら、上記従来の技術によれば、Ｂｌｕｅｔｏｏｔｈによる無線通信機能とは別にＮＦＣによる無線通信機能を搭載する必要があり、端末の回路規模が大きくなってしまう、という問題があった。【０００５】
本発明は、上記に鑑みてなされたものであって、回路規模を大きくすることなく、無線通信のペアリングの際のユーザーの操作を低減可能な無線通信システムを得ることを目的とする。
【課題を解決するための手段】
【０００６】
上述した課題を解決し、目的を達成するために、本発明に係る無線通信システムは、第１の端末と、第２の端末と、を備える。第１の端末は、規定されたイベントが発生すると、第１の端末を特定可能な識別情報と、第２の端末に対する第１の端末への接続要求を示す要求情報と、第２の端末が第１の端末とのペアリングに使用する接続情報と、を含むアドバタイズパケットを送信する。第２の端末は、アドバタイズパケットを受信すると、第１の端末とのペアリングを開始し、第１の端末との接続を確立する。
【発明の効果】
【０００７】
本発明に係る無線通信システムは、回路規模を大きくすることなく、無線通信のペアリングの際のユーザーの操作を低減できる、という効果を奏する。
【図面の簡単な説明】
【０００８】
【図１】無線通信システムの構成例を示す図
【図２】無線通信システムの動作を示すフローチャート
【図３】第１の端末および第２の端末の構成例を示すブロック図
【図４】第１の端末が接続要求を含むアドバタイジングパケットを送信する動作を示すフローチャート
【図５】第２の端末が第１の端末とペアリングを行う動作を示すフローチャート
【図６】無線通信システムを給湯システムに適用した例を示す図
【図７】無線通信システムを照明システムに適用した例を示す図
【図８】第１の端末および第２の端末の他の構成例を示すブロック図
【図９】第１の端末のハードウェア構成の例を示す図
【発明を実施するための形態】
【０００９】
以下に、本発明の実施の形態に係る無線通信システム、端末装置および無線接続方法を図面に基づいて詳細に説明する。なお、この実施の形態によりこの発明が限定されるものではない。
【００１０】
実施の形態．
図１は、本発明の実施の形態に係る無線通信システム４の構成例を示す図である。無線通信システム４は、第１の端末１と、第２の端末２ａ〜２ｃと、を備える。無線通信システム４は、Ｂｌｕｅｔｏｏｔｈによる無線通信を行うシステムである。第１の端末１および第２の端末２ａ〜２ｃは、Ｂｌｕｅｔｏｏｔｈによるペアリングを行って無線通信を行う端末装置である。第１の端末１は、Ｂｌｕｅｔｏｏｔｈにおけるペリフェラルとして動作する端末装置である。第２の端末２ａ〜２ｃは、Ｂｌｕｅｔｏｏｔｈにおけるセントラルとして動作する端末装置である。図１の例では、第２の端末２ａ〜２ｃは、第１の端末１とＢｌｕｅｔｏｏｔｈによる無線通信が可能な範囲内にあるものとする。第２の端末２ａ〜２ｃを区別しない場合、第２の端末２ａ〜２ｃの各々を第２の端末２と称することがある。無線通信システム４において、第２の端末２の個数は３つに限定されず、１つ以上であればよい。図１の例では、第２の端末２の個数は３つであり、第２の端末２ａ〜２ｃのことを第２の端末群３と称することがある。
【００１１】
無線通信システム４において、第１の端末１は、例えば、空気調和機への操作を受け付け、空気調和機を制御するリモートコントローラである。空調システム７は、室内機５と、室外機６と、無線通信システム４と、を備える。室内機５および室外機６をまとめて空気調和機とする。第１の端末１は、室内の壁面に設置されるタイプのリモートコントローラであってもよいし、持ち運び可能なタイプのリモートコントローラであってもよい。無線通信システム４において、第２の端末２は、例えば、ユーザーが所持するスマートフォンなどの携帯端末である。空調システム７は、ユーザーが、第２の端末２から第１の端末１を介して、空気調和機への操作を行うシステムである。
【００１２】
図２は、本実施の形態に係る無線通信システム４の動作を示すフローチャートである。無線通信システム４において、第１の端末１は、規定されたイベントが発生すると、第１の端末１を特定可能な識別情報と、第２の端末２に対する第１の端末１への接続要求を示す要求情報と、第２の端末２が第１の端末１とのペアリングに使用する接続情報と、を含むアドバタイズパケットを送信する（ステップＳ１）。第２の端末２は、アドバタイズパケットを受信すると、第１の端末１とのペアリングを開始し、第１の端末１との接続を確立する（ステップＳ２）。
【００１３】
第１の端末１および第２の端末２の具体的な構成および動作について説明する。図３は、本実施の形態に係る第１の端末１および第２の端末２の構成例を示すブロック図である。まず、第１の端末１の構成および動作について説明する。第１の端末１は、第１の通信部１１と、接続管理部１２と、を備える。
【００１４】
第１の通信部１１は、第２の端末２との間でペアリングを行って、第１の端末１と第２の端末２との接続を確立する通信部である。第１の通信部１１は、アドバタイジング通信部１１１と、ペアリング通信部１１２と、を備える。
【００１５】
アドバタイジング通信部１１１は、前述の識別情報、要求情報、および接続情報を含むアドバタイジングパケットを生成し、生成したアドバタイジングパケットを第２の端末２へ送信する。
【００１６】
ペアリング通信部１１２は、第２の端末２との間でペアリングを行って、第１の端末１と第２の端末２との接続を確立する。
【００１７】
接続管理部１２は、第２の端末２へ送信するアドバタイジングパケットに、第２の端末２に対する第１の端末１への接続要求、および接続情報を含ませる。接続管理部１２は、接続要求管理部１２１と、接続情報管理部１２２と、を備える。
【００１８】
接続要求管理部１２１は、第１の端末１において、接続要求を開始するために予め規定されたイベントが発生したか否かを確認する。予め規定されたイベントとは、例えば、第１の端末１の電源投入であり、第１の端末１に対するユーザーによる規定された操作である。第１の端末１に対するユーザーによる規定された操作とは、例えば、第１の端末１において、図示しないペアリング開始を指示するボタンへの操作である。接続要求管理部１２１は、予め規定されたイベントが発生すると、アドバタイジング通信部１１１に対して、接続要求を含むアドバタイジングパケットの生成を指示、すなわち接続要求を含むアドバタイズパケットの送信要求を発行する。
【００１９】
接続情報管理部１２２は、第２の端末２が第１の端末１とペアリングを行って接続を確立する際に使用される接続情報を記憶している。接続情報には、第１の端末１の製造者が独自に定めた情報、例えば、ＰＩＮ（Personal  Identification  Number）コードが含まれる。ＰＩＮコードは、仮に無線通信システム４に類似するシステムが存在する場合に、第２の端末２において、第２の端末２の機能に合致したシステムであることを認識するために使用される。また、接続情報には、コネクション形式、オブザーバ形式などのデータ通知形式の情報が含まれる。また、接続情報には、第１の端末１との接続を許可するユーザーの種別の情報が含まれる。第１の端末１との接続を許可するユーザーとは、例えば、第２の端末２を用いて空調システム７を操作するユーザーのことである。本実施の形態では、第１の端末１は、複数の第２の端末２とペアリングを行って接続することを想定しており、かつ、第１の端末１と第２の端末２が容易に接続することを想定している。複数の第２の端末２が容易に接続されるため、第１の端末１は、第２の端末２から受け付け可能な操作を制限し、第２の端末２に対して空調システム７の操作のみを対象とした通信を行う。第１の端末１は、例えば、空調システム７の故障診断などをするサービスマンが扱う端末とは、本実施の形態とは異なる方法、具体的には特定の接続情報を入力するなどの方法で接続する。
【００２０】
第１の端末１が、第２の端末群３に対して、接続要求を含むアドバタイジングパケットを送信する動作について説明する。図４は、本実施の形態に係る第１の端末１が接続要求を含むアドバタイジングパケットを送信する動作を示すフローチャートである。図４に示すフローチャートは、図２のフローチャートのステップＳ１の動作の詳細を示すものである。
【００２１】
第１の端末１において、接続要求管理部１２１は、接続要求を開始するためのイベントとして、予め規定されたイベントが発生したか否かを確認する（ステップＳ１１）。予め規定されたイベントは、前述のように、第１の端末１の電源投入、第１の端末１に対するユーザーによる規定された操作などである。接続要求管理部１２１は、予め規定されたイベントが発生していない場合（ステップＳ１１：Ｎｏ）、予め規定されたイベントが発生するまで確認を継続する。接続要求管理部１２１は、予め規定されたイベントが発生した場合（ステップＳ１１：Ｙｅｓ）、アドバタイジング通信部１１１に対して、接続要求を含むアドバタイズパケットの送信要求を発行する（ステップＳ１２）。
【００２２】
アドバタイジング通信部１１１は、アドバタイズパケットを送信可能な状態か否かを確認する（ステップＳ１３）。アドバタイズパケットを送信可能な状態とは、第１の端末１が、ブロードキャスターになっている状態である。第１の端末１は、例えば、アドバタイズパケットを送信する周期が設定されている場合、設定されている周期に従ってブロードキャスターになり、アドバタイズパケットを送信する。アドバタイジング通信部１１１は、アドバタイズパケットを送信可能な状態ではない場合（ステップＳ１３：Ｎｏ）、アドバタイズパケットを送信可能な状態になるまで待機する。アドバタイジング通信部１１１は、アドバタイズパケットを送信可能な状態の場合（ステップＳ１３：Ｙｅｓ）、接続管理部１２の接続要求管理部１２１から接続要求の情報を取得し、接続管理部１２の接続情報管理部１２２から接続情報を取得する（ステップＳ１４）。アドバタイジング通信部１１１は、第１の端末１を特定可能な識別情報と、取得した接続要求の要求情報と、取得した接続情報と、を含むアドバタイズパケットを生成する（ステップＳ１５）。第１の端末１を特定可能な情報とは、例えば、第１の端末１を示すアドレスであり、前述のアドバタイズパケット以外の通信の際にも使用される情報である。アドバタイジング通信部１１１は、アドバタイズパケットの送信周期などが設定されたアドバタイジング設定に従って、生成したアドバタイズパケットを、第１の端末１の周辺に送信する（ステップＳ１６）。
【００２３】
つぎに、第２の端末２の構成および動作について説明する。図３に示すように、第２の端末２は、第２の通信部２１と、アドバタイズパケット解析部２２と、接続管理部２３と、を備える。第２の通信部２１は、第１の端末１との間でペアリングを行って、第２の端末２と第１の端末１との接続を確立する通信部である。第２の通信部２１は、アドバタイズスキャン部２１１と、ペアリング通信部２１２と、を備える。
【００２４】
アドバタイズスキャン部２１１は、アドバタイズパケットを送信している第１の端末１が第２の端末２の周辺に存在しているのかどうかを確認するため、予め設定されたスキャン設定に従って、第２の端末２の周辺をスキャンする。予め設定されたスキャン設定とは、例えば、アドバタイズスキャン部２１１が第２の端末２の周辺をスキャンする周期、各周期でスキャンする期間などである。
【００２５】
ペアリング通信部２１２は、第１の端末１との間でペアリングを行って、第２の端末２と第１の端末１との接続を確立する。
【００２６】
アドバタイズパケット解析部２２は、アドバタイズパケットに接続要求が含まれている場合、アドバタイズパケットに含まれる接続要求および接続情報を接続管理部２３に出力する。
【００２７】
接続管理部２３は、接続情報および接続要求の情報に基づいて、ペアリング通信部２１２に対して、第１の端末１との間でペアリングを実行させ、第２の端末２と第１の端末１との接続を確立させる。
【００２８】
第２の端末２が、第１の端末１とペアリングを行う動作について説明する。図５は、本実施の形態に係る第２の端末２が第１の端末１とペアリングを行う動作を示すフローチャートである。図５に示すフローチャートは、図２のフローチャートのステップＳ２の動作の詳細を示すものである。
【００２９】
第２の端末２において、アドバタイズスキャン部２１１は、予め設定されたスキャン設定に従って、第２の端末２の周囲のアドバタイズパケットのスキャンを実行し（ステップＳ２１）、アドバタイズパケットの受信を待つ（ステップＳ２２）。アドバタイズスキャン部２１１は、アドバタイズパケットを受信しない間（ステップＳ２３：Ｎｏ）、アドバタイズパケットのスキャンを実行し（ステップＳ２１）、アドバタイズパケットの受信を待つ（ステップＳ２２）。アドバタイズスキャン部２１１は、アドバタイズパケットを受信した場合（ステップＳ２３：Ｙｅｓ）、受信したアドバタイズパケットが有効なアドバタイズパケットであれば、受信したアドバタイズパケットをアドバタイズパケット解析部２２へ通知する（ステップＳ２４）。有効なアドバタイズパケットとは、アドバタイズスキャン部２１１において、正しく受信できたアドバタイズパケットのことである。アドバタイズスキャン部２１１は、正しく受信できなかったアドバタイズパケットについては破棄する。
【００３０】
アドバタイズパケット解析部２２は、受信されたアドバタイズパケットに接続要求が含まれていない場合（ステップＳ２５：Ｎｏ）、処理を終了する。アドバタイズパケット解析部２２は、受信されたアドバタイズパケットに接続要求が含まれている場合（ステップＳ２５：Ｙｅｓ）、アドバタイズパケットに含まれている接続要求および接続情報を、接続管理部２３に通知する（ステップＳ２６）。接続管理部２３は、接続要求および接続情報に基づいて、ペアリング通信部２１２に対して、第１の端末１との間でペアリングを実行させ、第２の端末２と第１の端末１との接続を確立させる（ステップＳ２７）。
【００３１】
以上の手順によって、第１の端末１と第２の端末２との接続が完了し、第１の端末１および第２の端末２が無線通信を行うことが可能となる。なお、接続を確立後、第１の端末１と第２の端末２とが行うＢｌｕｅｔｏｏｔｈによる無線通信の通信方法は従来と同様である。
【００３２】
前述のように、無線通信システム４は、空調システム７を操作するシステムに適用可能である。例えば、公共施設など様々なユーザーが想定される環境、また、会議室、ホテルなどユーザーが頻繁に変わる環境において、ユーザーは、ユーザーが携帯する第２の端末２を、リモートコントローラである第１の端末１に容易に接続することができる。この結果、ユーザーは、第２の端末２を用いて、ユーザーが在室している部屋に設置された空調システム７を操作することができる。また、無線通信システム４において、第１の端末１は、複数の第２の端末２とペアリングを行って、無線通信を行うことも可能である。第１の端末１は、複数の第２の端末２を介して、複数のユーザーから空調システム７に対する操作を受け付けることが可能である。
【００３３】
なお、無線通信システム４を、空気調和機を操作する場合について説明したが、無線通信システム４の用途はこれに限定されない。図６は、本実施の形態に係る無線通信システム４を給湯システム３１に適用した例を示す図である。給湯システム３１は、給湯器３０と、無線通信システム４と、を備える。例えば、第１の端末１を、給湯器３０への操作を受け付け、給湯システム３１を制御するリモートコントローラとし、第２の端末２を、ユーザーが所持する携帯端末とすることも可能である。給湯システム３１は、ユーザーが、第２の端末２から第１の端末１を介して、給湯器３０への操作を行うシステムである。図７は、本実施の形態に係る無線通信システム４を照明システム３３に適用した例を示す図である。照明システム３３は、照明機器３２と、無線通信システム４と、を備える。例えば、第１の端末１を、照明機器３２への操作を受け付け、照明システム３３を制御するリモートコントローラとし、第２の端末２を、ユーザーが所持する携帯端末とすることも可能である。照明システム３３は、ユーザーが、第２の端末２から第１の端末１を介して、照明機器３２への操作を行うシステムである。
【００３４】
また、第２の端末２がセンサーを備え、第２の端末２がセンサーによる測定結果を第１の端末１へ送信し、第１の端末１が、測定結果を用いた制御を行うことも可能である。図８は、本実施の形態に係る第１の端末１および第２の端末２の他の構成例を示すブロック図である。図８に示す第１の端末１は、図２に示す第１の端末１と同一である。図８に示す第２の端末２は、図２に示す第２の端末２に対してセンサー２４を追加したものである。第２の端末２は、通常のＢｌｕｅｔｏｏｔｈによる無線通信によって、センサー２４による測定結果を第１の端末１へ送信する。例えば、図１に示す空調システム７において、第２の端末２が室内の温度を計測可能なセンサー２４を備える場合、第２の端末２は、センサー２４による第２の端末２周辺の温度の測定結果を第１の端末１へ送信する。第１の端末１は、第２の端末２周辺の温度の測定結果を用いることで、ユーザーに対して、より細やかな制御を提供することができる。また、図６に示す給湯システム３１において、第２の端末２が室内の温度を計測可能なセンサー２４を備える場合、第２の端末２は、センサー２４による第２の端末２周辺の温度の測定結果を第１の端末１へ送信する。第１の端末１は、第２の端末２周辺の温度の測定結果を用いることで、ユーザーに対して、より細やかな制御を提供することができる。また、図７に示す照明システム３３において、第２の端末２が室内の照度を計測可能なセンサー２４を備える場合、第２の端末２は、センサー２４による第２の端末２周辺の照度の測定結果を第１の端末１へ送信する。第１の端末１は、第２の端末２周辺の照度の測定結果を用いることで、ユーザーに対して、より細やかな制御を提供することができる。
【００３５】
つづいて、第１の端末１のハードウェア構成について説明する。図９は、本実施の形態に係る第１の端末１のハードウェア構成の例を示す図である。第１の端末１において、第１の通信部１１は、Ｂｌｕｅｔｏｏｔｈによる無線通信を行う通信機９１である。接続管理部１２は、処理回路により実現される。処理回路は、例えば、メモリ９３に格納されるプログラムを実行するプロセッサ９２、およびメモリ９３である。
【００３６】
処理回路がプロセッサ９２およびメモリ９３で構成される場合、処理回路の各機能は、ソフトウェア、ファームウェア、またはソフトウェアとファームウェアとの組み合わせにより実現される。ソフトウェアまたはファームウェアはプログラムとして記述され、メモリ９３に格納される。処理回路では、メモリ９３に記憶されたプログラムをプロセッサ９２が読み出して実行することにより、各機能を実現する。また、これらのプログラムは、接続管理部１２の手順および方法をコンピュータに実行させるものであるともいえる。
【００３７】
ここで、プロセッサ９２は、ＣＰＵ（Central  Processing  Unit）、処理装置、演算装置、マイクロプロセッサ、マイクロコンピュータ、またはＤＳＰ（Digital  Signal  Processor）などであってもよい。また、メモリ９３には、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（登録商標）（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００３８】
処理回路については、専用のハードウェアであってもよい。処理回路が専用のハードウェアで構成される場合、処理回路は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。接続管理部１２の各機能を機能別に処理回路で実現してもよいし、各機能をまとめて処理回路で実現してもよい。
【００３９】
なお、接続管理部１２の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００４０】
第１の端末１のハードウェア構成について説明したが、第２の端末２のハードウェア構成も同様である。第２の端末２において、第２の通信部２１は、Ｂｌｕｅｔｏｏｔｈによる無線通信を行う通信機９１である。アドバタイズパケット解析部２２および接続管理部２３は、処理回路により実現される。処理回路は、メモリに格納されるプログラムを実行するプロセッサおよびメモリであってもよいし、専用のハードウェアであってもよい。なお、第２の端末２において、アドバタイズパケット解析部２２および接続管理部２３の機能は、第１の端末１の製造者が配布するアプリケーションをダウンロードすることによって実現されてもよい。これにより、スマートフォンなどの携帯端末を所持するユーザーは、容易に第２の端末２の機能を取得することができる。
【００４１】
以上説明したように、本実施の形態によれば、Ｂｌｕｅｔｏｏｔｈによる無線通信を行う第１の端末１および第２の端末２を備える無線通信システム４では、第１の端末１は、第１の端末１を特定可能な識別情報と、第２の端末２に対する第１の端末１への接続要求を示す要求情報と、第２の端末２が第１の端末１とのペアリングに使用する接続情報と、を含むアドバタイズパケットを送信し、第２の端末２は、アドバタイズパケットを受信すると、第１の端末１とのペアリングを開始し、第１の端末１との接続を確立することとした。これにより、無線通信システム４では、Ｂｌｕｅｔｏｏｔｈによる無線通信を行う第１の端末１および第２の端末２のペアリングにおいて、ユーザーが手動で実施していた接続端末検索、端末指定、パスワード入力などの作業が不要となり、Ｂｌｕｅｔｏｏｔｈによるペアリングの際のユーザーの操作を低減することができる。また、第１の端末１および第２の端末２では、ＮＦＣタグなどＢｌｕｅｔｏｏｔｈとは別の無線通信機能を実装する必要が無いことから、回路規模を大きくする必要が無い。本実施の形態によるペアリングの動作は、Ｂｌｕｅｔｏｏｔｈによる無線通信に限定されず、ペアリングを必要とする無線通信であれば、Ｂｌｕｅｔｏｏｔｈによる無線通信以外の無線通信にも適用可能である。
【００４２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４３】
１  第１の端末、２，２ａ〜２ｃ  第２の端末、３  第２の端末群、４  無線通信システム、５  室内機、６  室外機、７  空調システム、１１  第１の通信部、１２，２３  接続管理部、２１  第２の通信部、２２  アドバタイズパケット解析部、２４  センサー、３０  給湯器、３１  給湯システム、３２  照明機器、３３  照明システム、１１１  アドバタイジング通信部、１１２，２１２  ペアリング通信部、１２１  接続要求管理部、１２２  接続情報管理部、２１１  アドバタイズスキャン部。
【図１】
2019180844.tif 000003
【図２】
2019180844.tif 000004
【図３】
2019180844.tif 000005
【図４】
2019180844.tif 000006
【図５】
2019180844.tif 000007
【図６】
2019180844.tif 000008
【図７】
2019180844.tif 000009
【図８】
2019180844.tif 000010
【図９】
2019180844.tif 000011
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
第１の端末と、第２の端末と、を備え、
前記第１の端末は、規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信し、
前記第２の端末は、前記アドバタイズパケットを受信すると、前記アドバタイズパケットに含まれる前記要求情報および前記接続情報に基づいて、前記第１の端末とのペアリングを開始し、前記第１の端末との接続を確立する、
無線通信システム。
【請求項２】
前記接続情報には、前記第１の端末の製造者が独自に定めた情報が含まれる、
請求項１に記載の無線通信システム。
【請求項３】
前記接続情報には、データ通知形式の情報が含まれる、
請求項１または２に記載の無線通信システム。
【請求項４】
前記接続情報には、前記第１の端末との接続を許可するユーザーの種別の情報が含まれる、
請求項１から３のいずれか１つに記載の無線通信システム。
【請求項５】
前記規定されたイベントは、前記第１の端末の電源投入、または前記第１の端末に対するユーザーによる規定された操作である、
請求項１から４のいずれか１つに記載の無線通信システム。
【請求項６】
前記第２の端末は、センサーを備え、前記センサーによる測定結果を前記第１の端末へ送信する、
請求項１から５のいずれか１つに記載の無線通信システム。
【請求項７】
前記第２の端末を複数備え、
前記第１の端末は、複数の前記第２の端末とペアリングを行って、無線通信を行う、
請求項１から６のいずれか１つに記載の無線通信システム。
【請求項８】
第１の端末と第２の端末とを備える無線通信システムにおける前記第１の端末である端末装置であって、
規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信する通信部と、
前記接続情報を記憶する接続管理部と、
を備える端末装置。
【請求項９】
前記接続情報には、前記端末装置の製造者が独自に定めた情報が含まれる、
請求項８に記載の端末装置。
【請求項１０】
前記接続情報には、データ通知形式の情報が含まれる、
請求項８または９に記載の端末装置。
【請求項１１】
前記接続情報には、前記端末装置との接続を許可するユーザーの種別の情報が含まれる、
請求項８から１０のいずれか１つに記載の端末装置。
【請求項１２】
前記規定されたイベントは、前記端末装置の電源投入、または前記端末装置に対するユーザーによる規定された操作である、
請求項８から１１のいずれか１つに記載の端末装置。
【請求項１３】
第１の端末と、第２の端末と、を備える無線通信システムにおける無線接続方法であって、
前記第１の端末が、規定されたイベントが発生すると、前記第１の端末を特定可能な識別情報と、前記第２の端末に対する前記第１の端末への接続要求を示す要求情報と、前記第２の端末が前記第１の端末とのペアリングに使用する接続情報と、を含むアドバタイズパケットを送信する第１のステップと、
前記第２の端末が、前記アドバタイズパケットを受信すると、前記アドバタイズパケットに含まれる前記要求情報および前記接続情報に基づいて、前記第１の端末とのペアリングを開始し、前記第１の端末との接続を確立する第２のステップと、
を含む無線接続方法。
【手続補正２】
【補正対象書類名】明細書
【補正対象項目名】０００６
【補正方法】変更
【補正の内容】
【０００６】
上述した課題を解決し、目的を達成するために、本発明に係る無線通信システムは、第１の端末と、第２の端末と、を備える。第１の端末は、規定されたイベントが発生すると、第１の端末を特定可能な識別情報と、第２の端末に対する第１の端末への接続要求を示す要求情報と、第２の端末が第１の端末とのペアリングに使用する接続情報と、を含むアドバタイズパケットを送信する。第２の端末は、アドバタイズパケットを受信すると、アドバタイズパケットに含まれる要求情報および接続情報に基づいて、第１の端末とのペアリングを開始し、第１の端末との接続を確立する。
【国際調査報告】
2019180844.tif 000012
2019180844.tif 000013
2019180844.tif 000014
2019180844.tif 000015